(57)【要約】【課題】使用者の仰臥状態と着座状態との体位変換を円滑且つ確実に行うとともに、使用者が負担なく安定して端座位姿勢を維持することができる寝台を提供する点にある。【解決手段】支持フレーム２と、該支持フレーム２の上面側に、寝台１長手方向に並設された３以上のボトム３、３、・・・とよりなる寝台１であって、前記ボトム３、３、・・・のうち、使用者の背中に位置する背ボトム３１、及び、臀部に位置する座ボトム３２が傾動自在であり、該座ボトム３２の左右両方又は何れか一方に位置し、水平状態の前記座ボトム３２の上面と略同一平面を形成する上面を有するとともに、前記支持フレーム２に固定された端座部４を備えた。【選択図】図２
2011139831.tif 000002
【特許請求の範囲】
【請求項１】
支持フレームと、該支持フレームの上面側に、寝台長手方向に並設された３以上のボトムとよりなる寝台であって、
前記ボトムのうち、使用者の背中に位置する背ボトム、及び、臀部に位置する座ボトムが傾動自在であり、該座ボトムの左右両方又は何れか一方に位置し、水平状態の前記座ボトムの上面と略同一平面を形成する上面を有するとともに、前記支持フレームに固定された端座部を備えた寝台。
【請求項２】
前記背ボトムの傾動に連動して、背上動作時に前記座ボトムの前記背ボトム側が降下するように、前記座ボトムが傾動する請求項１記載の寝台。
【請求項３】
前記端座部が寝台よりも外方に突出しないものである請求項１又は２記載の寝台。
【発明の詳細な説明】
【技術分野】
【０００１】
本発明は、主に介助用の寝台に関わり、更に詳しくは、上面が起伏することで使用者の仰臥状態と着座状態との体位変換をスムーズに介助し、且つ、背膝上状態でも端座位姿勢が容易である介助用の寝台に関わるものである。
【背景技術】
【０００２】
従来、使用者の上記体位変換を円滑且つ確実に行う寝台として、平面矩形状の水平固定枠に起伏自在な上半身支持フレームと、山形状に屈折自在な脚部支持フレームと、これらの上半身支持フレームと脚部支持フレームとの間に介在した臀部支持フレームとを配設してなるベッドにおいて、上記臀部支持フレームは上半身支持フレームの起立に連動して脚部支持フレームから上半身支持フレーム側に向かって下方に傾動させるように構成したもの（例えば、特許文献１参照。）等がある。
【先行技術文献】
【特許文献】
【０００３】
【特許文献１】特開２０００−２４５５７４号公報
【発明の概要】
【発明が解決しようとする課題】
【０００４】
特許文献１のような寝台は、上記構成により、支持フレーム上に載置したマットレスは、ベッド上の者を仰臥状態から着座状態に体位を変えるための屈曲の際にあっても、臀部支持フレーム上に載置された部分を臀部支持フレームの傾動に追従させつつ下方に落とし込まされて、支持フレーム上を摺動することなく支持フレーム上における載置位置を維持しつつ、上半身支持フレームと臀部支持フレームの屈折状態に略合致した状態に円滑且つ確実に変形するものである。
したがって、特許文献１のような寝台は、臀部支持フレームが上半身支持フレームの起立に連動して脚部支持フレームから上半身支持フレーム側に向かって下方に傾動する構成とする必要があり、背膝上状態では臀部支持フレームが傾いて保持されることとなる。このため、使用者が寝台の脚部支持フレーム側を向いて座る、長座位姿勢のときは、問題なく使用できるものの、使用者が左右方向の何れかを向いて足をベッドから側方へ垂らして座る、端座位姿勢のときは座面が左右何れかに傾いており、安定して座っていることができない。
このため、使用者が側方を向いて座った状態で介助者による介助を受ける時、及び、使用者が立ち上がる時の使用者の身体に係る負担が大きく、使用者及び介助者にとって使用し難いものであり、また、使用者が最大限自力を発揮して端座位姿勢をとる、又は立ち上がる等の動作を行い難く、使用者の自立を促すための介助用寝台として不適切なものであった。
【０００５】
そこで前述の状況に鑑み、本発明が解決しようとするところは、使用者の仰臥状態と着座状態との体位変換を円滑且つ確実に行うとともに、使用者が負担なく安定して端座位姿勢を維持することができる寝台を提供する点にある。
【課題を解決するための手段】
【０００６】
本発明に係る寝台は、前記課題解決のために、支持フレームと、該支持フレームの上面側に、寝台長手方向に並設された３以上のボトムとよりなる寝台であって、前記ボトムのうち、使用者の背中に位置する背ボトム、及び、臀部に位置する座ボトムが傾動自在であり、該座ボトムの左右両方又は何れか一方に位置し、水平状態の前記座ボトムの上面と略同一平面を形成する上面を有するとともに、前記支持フレームに固定された端座部を備えたものである。
【０００７】
ここで、前記背ボトムの傾動に連動して、背上動作時に前記座ボトムの前記背ボトム側が降下するように、前記座ボトムが傾動すると好ましい。
【０００８】
また、前記端座部が寝台よりも外方に突出しないものであると好ましい。
【発明の効果】
【０００９】
本発明に係る寝台によれば、ボトムが傾動して使用者の仰臥状態と着座状態との体位変換を円滑且つ確実に行うとともに、使用者が余計な負担なく安定して端座位姿勢を維持することができるという顕著な効果を奏する。
また、寝台幅方向における中央部では使用者が長座位又は半座位をとることができ、寝台の左右両側部では端座位をとることができるうえ、これらの姿勢変更も容易である。
なお、端座位は、長座位・半座位等と比べて使用者の自力を必要とする姿勢であるため、筋力の回復や覚醒に効果があり、この端座位をとり易く、また、維持しやすい本発明に係る寝台は、使用者の自立を図る介助用の寝台として好適なものである。
【００１０】
この上、前記背ボトムの傾動に連動して、背上動作時に前記座ボトムの前記背ボトム側が降下するように、前記座ボトムが傾動するものによれば、寝台を水平状態から背膝上状態へ変更して使用者が仰臥位から座位へ姿勢変更するときに、使用者の骨盤を起立させ易い。また、寝台の背膝上状態で使用者の骨盤が起立していると、使用者は長座位又は半座位から端座位への姿勢変更をスムーズに行うことができる。
【００１１】
さらに、前記端座部が寝台よりも外方に突出しないものによれば、徒に寝台のサイズが大きくならず、通常の略矩形マットにより、端座部が隠れるため、外観上の違和感が生じない。
また、端座位をとるときに使用者が両下肢を垂らすための移動距離が寝台のサイズに対して徒に長くならず、長座位又は半座位から端座位への姿勢変更が、より容易なものとなる。
【図面の簡単な説明】
【００１２】
【図１】本発明の実施の形態に係る寝台の水平状態を示す斜視図である。
【図２】同じく寝台の背膝上状態を示す斜視図である。
【図３】同じく寝台の水平状態を示す正面図である。
【図４】同じく寝台の背膝上状態を示す正面図である。
【図５】同じく寝台の背膝上状態の部分拡大を示す縦断面図である。
【発明を実施するための形態】
【００１３】
次に本発明の実施の形態を添付図面に基づき詳細に説明するが、本発明は、添付図面に示された形態に限定されず特許請求の範囲に記載の要件を満たす実施形態の全てを含むものである。
また、本明細書においては、寝台の長手方向における背ボトムから脚ボトムへの方向を前、この反対方向を後とし、左右は前を向いて決定し、右方から見た図を正面図とする。
さらに、端座位とは、寝台の端に両下肢を垂らして腰をかける姿勢をいい、長座位とは、両下肢を伸ばして座る姿勢をいうものとする。
【００１４】
先ず、図１及び図２に沿って、本実施形態に係る寝台１の構成を説明する。
【００１５】
図に示すように寝台１は、支持フレーム２と、該支持フレーム２の上面側に、寝台長手方向に並設された矩形状の四枚のボトム３、３、・・・とよりなるものであって、前記ボトム３、３、・・・のうち、使用者の背中に位置する背ボトム３１、及び、使用者の臀部に位置する略中央の座ボトム３２が傾動自在であり、該座ボトム３２の左右両側に、支持フレーム２に固定された端座部４を有する。
また、寝台１は、一般的な介助用の寝台と同様に、使用者の頭側にヘッドボード５、脚側にフットボード６、寝台１を昇降させるための昇降機構７、及び、寝台を移動させるためのキャスタ８とそのロック・解除手段９が設けられている。
【００１６】
支持フレーム２は、キャスタ８を下部に有するとともに昇降機構７を備えた脚体１０の上側に固定されている。前側にはフットボード６、後側にはヘッドボード５が取り付けられ、上側には寝台１の長手方向に配置された四枚のボトム３、３、・・・が設けられている。また、支持フレーム２は、昇降機構７により高さを変更することができる脚体１０に、水平状態を維持して昇降するように支持されている。
【００１７】
ボトム３は四枚であり、一般的な身体の各部位に合わせたサイズで形成され、上半身に対応する背ボトム３１、臀部に対応する座ボトム３２、大腿部に対応する膝ボトム３３、膝から下側の脚に対応する脚ボトム３４があり、これらが使用者の頭側から順に配置されている。背ボトム３１、膝ボトム３３、及び脚ボトム３４は、幅（左右方向の長さ）が寝台１と略同幅であって、座ボトム３２のみこれらよりも小さい幅である。
【００１８】
背ボトム３１は、前側が支持フレーム２に軸支され、後側が支持フレーム２に支持されることで、支持フレーム２に傾動自在に取り付けられているとともに、支持フレーム２に固定された上半身側駆動モータ（図示せず）により駆動されるため、使用者の上半身の起き上がり動作をサポートすることができる。
【００１９】
座ボトム３２は、前側が支持フレーム２に軸支され、後側が支持フレーム２に支持されることで、支持フレーム２に傾動自在に取り付けられているとともに、支持フレーム２に固定された上半身側駆動モータにより駆動されるため、寝台１の背上時に使用者の骨盤が起立して、使用者の着座動作を適切にサポートすることができる。座ボトム３２の左右両側には、上面が座ボトム３２上面と略同じ高さの端座部４、４が設けられている。
【００２０】
背ボトム３１と座ボトム３２は、支持フレーム２に設けられた上半身側駆動モータにより、背ボトム３１は後側（使用者の頭側）が上がるように回動し、これに連動して座ボトム３２の後側が下がるように回動して、使用者を仰臥状態から着座状態へと体位転換させる。これらの背ボトム３１と座ボトム３２とは連動するが、これら両部材は互いに係合しないように構成されている。
【００２１】
膝ボトム３３は、後側（座ボトム３２側）が支持フレーム２に軸支されるとともに、前側（脚ボトム３４側）が脚ボトム３４に軸支されている。このため、脚ボトム３４が昇降することにより、膝ボトム３３が傾動する。
【００２２】
脚ボトム３４は、後側が膝ボトム３３の前側（脚ボトム３４側）に軸支され、後側が支持フレーム２に支持されることで、支持フレーム２に傾動自在に取り付けられているとともに、支持フレーム２に固定された下半身側駆動モータ（図示せず）により駆動されるため、必要に応じて操作することで昇降する。この脚ボトム３４の昇降に応じて膝ボトム３３が傾くため、使用者の両下肢を上げる際の使用者への負担を小さくすることができる。
【００２３】
端座部４は、座ボトム３２の左右両側で、支持フレーム２に固定されている。
端座部４は、座ボトム３２が水平状態にあるときに、この座ボトム３２と略同一平面を形成する上面を備えているため、水平状態では、使用者が臥位を変換する等の床ずれを防ぐため、又は、筋力低下を軽減するために必要な動作を行い易い。
また、端座部４は、座ボトム３２と略同じ長さであるため、水平状態で他のボトム３、３、・・・と一枚板状となり、通常のベッド同様、使用者が臥位を快適に維持することができる。
この上、座ボトム３２の前側（膝ボトム３３側）が支持フレーム２に軸支されているため、寝台１の背膝上状態であっても、座ボトム３２の膝ボトム３３側は端座部４を同じ高さであり、使用者の長座位から端座位への体位変換を容易に行うことができる。
また、端座部４の上面には、使用者が端座位姿勢にあるときの滑り止めとして２本の溝が設けられている。
【００２４】
次に、図３〜図５に沿って本実施形態の寝台１の水平状態から背膝上状態への動作を説明する。
【００２５】
図３には寝台１の水平状態の正面図、図４には寝台１の背膝上状態の正面図を示す。
図３に示すように、水平状態の寝台１は、ボトム３、３、・・・及び端座部４の上面が略同一平面を形成している。このため、このボトム３、３、・・・及び端座部４の上面にマット又は敷布団等を敷くことで、使用者は快適に臥位を維持することができるとともに、寝返り等を行いやすく、自力による動作を円滑に行うことができる。
【００２６】
この水平状態の寝台１を背膝上状態（図４）にするには、先ず下半身側駆動モータを作動させて脚ボトム３４を上昇させるとともに膝ボトム３３を傾動させる。次に、使用者の身体が適切な位置にあることを確認したうえで、上半身側駆動モータを作動させて背ボトム３１と座ボトム３２とを傾動させる。
このとき、単に背ボトム３１のみが傾動すると、使用者の背中と背ボトム３１との間でズレが生じるため、姿勢転換後、この接触部の力を逃がすポジショニングケアを行う必要があるが、背ボトム３１の傾動に連動して座ボトム３２も傾動することで、この作業を不要とする、又は、軽減させることができる。
【００２７】
図５には、寝台１の背膝上状態の座ボトム３２付近の部分拡大縦断面図を示す。
【００２８】
図示するように、背膝上状態で座ボトム３２は後側（背ボトム３１側）が降下して傾いた状態で保持される。このため、使用者が着座状態になったときに、使用者の骨盤が起立した状態になりやすく、使用者の身体への余計な負担をかけず、使用者を仰臥状態から着座状態へと変換することができる。
一方、座ボトム３２の左右両側の端座部４、４は、背膝上状態でも水平で保持されるため、使用者が容易に端座位をとることができる。
従って、使用者が仰臥位を希望するときは寝台１を水平状態とし、長座位又は半座位を希望するときは、背上又は寝台１を背膝上状態として使用して、水平状態は勿論、背膝上状態であっても、容易に端座位をとることができるため、寝台１が何れの状態にあっても、使用者が容易に端座位をとることができる。
【００２９】
また、上記構成により、背ボトム３１と座ボトム３２との間の距離が、寝台１の水平状態よりも背膝上状態の方が長くなる。これにより、使用者の身体が仰臥状態から着座状態へと転換される際にも余計な腹圧が生じず、使用者の身体への負担が少ない。
【００３０】
なお、本実施形態における寝台１においては、背ボトム３１、座ボトム３２及び端座部４は、互いに係合せず設けられているため、夫々単独で傾動することができるが、これらは係合することでより簡易な構成とすることもできる。
また、端座部４は、座ボトム３２と同じ長さとしているが、これに限らず、膝ボトム３３や脚ボトム３４側へ延ばしたもの、背ボトム３１側へ延ばしたもの、又は、これら両側へ延ばしたものとしてもよい。
【符号の説明】
【００３１】
１     寝台
２     支持フレーム
３     ボトム
３１ 背ボトム
３２ 座ボトム
３３ 膝ボトム
３４ 脚ボトム
４     端座部
５     ヘッドボード
６     フットボード
７     昇降機構
８     キャスタ
９     ロック・解除手段
１０   脚体
【図１】
2011139831.tif 000003
【図２】
2011139831.tif 000004
【図３】
2011139831.tif 000005
【図４】
2011139831.tif 000006
【図５】
2011139831.tif 000007